(57)【要約】【課題】  眼用レンズなどの眼科用デバイスを提供すること。【解決手段】  眼科用デバイスは、非球面状の第１の面と、第１の面に対向して配置され、かつユーザーの眼に近接して配置されるように構成されている非トーリック状の第２の面とを備え得る。第２の面は、第１の経線に沿った第１の円錐定数と、第２の経線に沿った第２の円錐定数とを含み得る。眼用レンズは、第１の経線及び第２の経線に沿って球面収差を最小化するように構成され得る。【選択図】  図３
2019045859.tif 000002
【特許請求の範囲】
【請求項１】
眼用レンズであって、
第１の面と、
前記第１の面に対向して配置される非トーリック状の第２の面と、を備え、
前記第２の面は、第１の経線に沿った第１の円錐定数と、第２の経線に沿った第２の円錐定数と、を含み、
前記第１の経線は、前記第２の経線に直交しており、
前記眼用レンズは、前記第１の経線及び前記第２の経線に沿って球面収差を最小化するように構成されている、眼用レンズ。
【請求項２】
前記眼用レンズが、コンタクトレンズを含み、前記第１の面が、前面であり、前記第２の面が、着用者の眼に近接して配置されるように構成されている後面である、請求項１に記載の眼用レンズ。
【請求項３】
前記眼用レンズが、コンタクトレンズを含み、前記第１の面が、着用者の眼に近接して配置されるように構成されている後面であり、前記第２の面が、前面である、請求項１に記載の眼用レンズ。
【請求項４】
前記第１の面が、非球面、球面、又は回折面のうちの１つを含む、請求項１に記載の眼用レンズ。
【請求項５】
前記眼用レンズが、−９Ｄ〜＋６Ｄの球面度数を有する、請求項１に記載の眼用レンズ。
【請求項６】
前記眼用レンズが、−０．７５Ｄ〜−３．２５Ｄの円柱度数を有する、請求項１に記載の眼用レンズ。
【請求項７】
前記第１の経線が、球面経線であり、前記第２の経線が、円柱経線である、請求項１に記載の眼用レンズ。
【請求項８】
前記眼用レンズが、前記第１の経線に沿ってほぼゼロの球面収差を呈する、請求項１に記載の眼用レンズ。
【請求項９】
前記眼用レンズが、前記第１の経線に沿ってゼロの球面収差を呈する、請求項１に記載の眼用レンズ。
【請求項１０】
前記眼用レンズが、前記第２の経線に沿って、０．００１Ｄ／ｍｍ２未満の球面収差を呈する、請求項１に記載の眼用レンズ。
【請求項１１】
前記眼用レンズが、−３．２５Ｄの円柱屈折力を呈するように構成されているとき、前記第２の経線に沿って、０．０５Ｄ／ｍｍ２未満の球面収差を呈する、請求項１に記載の眼用レンズ。
【請求項１２】
前記眼用レンズが、−２．７５Ｄ〜−３．２５Ｄの円柱屈折力を呈するように構成されているとき、前記第２の経線に沿って、０．０４Ｄ／ｍｍ２未満の球面収差を呈する、請求項１に記載の眼用レンズ。
【請求項１３】
前記眼用レンズが、−１．７５Ｄ〜−３．２５Ｄの円柱屈折力を呈するように構成されているとき、前記第２の経線に沿って、０．００２Ｄ／ｍｍ２未満の球面収差を呈する、請求項１に記載の眼用レンズ。
【請求項１４】
前記眼用レンズが、−０．７５Ｄ〜−３．２５Ｄの円柱屈折力を呈するように構成されているとき、前記第２の経線に沿って、０．００１Ｄ／ｍｍ２未満の球面収差を呈する、請求項１に記載の眼用レンズ。
【請求項１５】
眼用レンズであって、
非球面状の前面と、
前記前面に対向して配置される非トーリック状の後面と、を備え、
前記後面は、球面経線に沿った第１の円錐定数と、円柱経線に沿った第２の円錐定数と、を含み、
前記球面経線は、前記円柱経線に直交しており、
前記眼用レンズは、前記球面経線及び前記円柱経線に沿って前記レンズの球面収差を最小化するように構成されている、眼用レンズ。
【請求項１６】
前記眼用レンズが、コンタクトレンズを含む、請求項１５に記載の眼用レンズ。
【請求項１７】
前記コンタクトレンズが、ソフト又はハイブリッドコンタクトレンズを含む、請求項１６に記載の眼用レンズ。
【請求項１８】
前記眼用レンズが、−９Ｄ〜＋６Ｄの球面度数を有する、請求項１５に記載の眼用レンズ。
【請求項１９】
前記眼用レンズが、−０．７５Ｄ〜−３．２５Ｄの円柱度数を有する、請求項１５に記載の眼用レンズ。
【請求項２０】
前記眼用レンズが、前記球面経線に沿ってほぼゼロの球面収差を呈する、請求項１５に記載の眼用レンズ。
【請求項２１】
前記眼用レンズが、前記球面経線に沿ってゼロの球面収差を呈する、請求項１５に記載の眼用レンズ。
【請求項２２】
前記眼用レンズが、前記円柱経線に沿って、０．００１Ｄ／ｍｍ２未満の球面収差を呈する、請求項１５に記載の眼用レンズ。
【請求項２３】
前記眼用レンズが、−３．２５Ｄの円柱屈折力を呈するように構成されているとき、前記円柱経線に沿って、０．０５Ｄ／ｍｍ２未満の球面収差を呈する、請求項１５に記載の眼用レンズ。
【請求項２４】
前記眼用レンズが、−２．７５Ｄ〜−３．２５Ｄの円柱屈折力を呈するように構成されているとき、前記円柱経線に沿って、０．０４Ｄ／ｍｍ２未満の球面収差を呈する、請求項１５に記載の眼用レンズ。
【請求項２５】
前記眼用レンズが、−１．７５Ｄ〜−３．２５Ｄの円柱屈折力を呈するように構成されているとき、前記円柱経線に沿って、０．００２Ｄ／ｍｍ２未満の球面収差を呈する、請求項１５に記載の眼用レンズ。
【請求項２６】
前記眼用レンズが、−０．７５Ｄ〜−３．２５Ｄの円柱屈折力を呈するように構成されているとき、前記円柱経線に沿って、０．００１Ｄ／ｍｍ２未満の球面収差を呈する、請求項１５に記載の眼用レンズ。
【請求項２７】
眼用レンズであって、
非球面状の第１の面と、
前記第１の面に対向して配置される非トーリック状の第２の面と、を備え、
前記第２の面は、第１の経線に沿った第１の円錐定数と、第２の経線に沿った第２の円錐定数と、を含み、
前記第１の経線は、前記第２の経線に直交しており、
前記眼用レンズは、前記眼用レンズと本質的に同じ構成からなるが前記非トーリック状の第２の面がない比較レンズと比べて、前記第２の経線に沿って小さい球面収差を呈する、眼用レンズ。
【請求項２８】
前記第１の面が、前面であり、前記第２の面が、着用者の眼に近接して配置されるように構成されている後面である、請求項２７に記載の眼用レンズ。
【請求項２９】
前記第１の面が、着用者の眼に近接して配置されるように構成されている後面であり、前記第２の面が、前面である、請求項２７に記載の眼用レンズ。
【請求項３０】
前記眼用レンズが、−９Ｄ〜＋６Ｄの球面度数を有する、請求項２７に記載の眼用レンズ。
【請求項３１】
前記眼用レンズが、−０．７５Ｄ〜−３．２５Ｄの円柱度数を有する、請求項２７に記載の眼用レンズ。
【請求項３２】
前記第１の経線が、球面経線であり、前記第２の経線が、円柱経線である、請求項２７に記載の眼用レンズ。
【請求項３３】
前記眼用レンズが、前記第１の経線に沿ってほぼゼロの球面収差を呈する、請求項２７に記載の眼用レンズ。
【請求項３４】
前記眼用レンズが、前記第１の経線に沿ってゼロの球面収差を呈する、請求項２７に記載の眼用レンズ。
【請求項３５】
前記眼用レンズが、前記第２の経線に沿って、０．００１Ｄ／ｍｍ２未満の球面収差を呈する、請求項２７に記載の眼用レンズ。
【請求項３６】
前記眼用レンズが、−３．２５Ｄの円柱屈折力を呈するように構成されているとき、前記第２の経線に沿って、０．０５Ｄ／ｍｍ２未満の球面収差を呈する、請求項２７に記載の眼用レンズ。
【請求項３７】
前記眼用レンズが、−２．７５Ｄ〜−３．２５Ｄの円柱屈折力を呈するように構成されているとき、前記第２の経線に沿って、０．０４Ｄ／ｍｍ２未満の球面収差を呈する、請求項２７に記載の眼用レンズ。
【請求項３８】
前記眼用レンズが、−１．７５Ｄ〜−３．２５Ｄの円柱屈折力を呈するように構成されているとき、前記第２の経線に沿って、０．００２Ｄ／ｍｍ２未満の球面収差を呈する、請求項２７に記載の眼用レンズ。
【請求項３９】
前記眼用レンズが、−０．７５Ｄ〜−３．２５Ｄの円柱屈折力を呈するように構成されているとき、前記第２の経線に沿って、０．００１Ｄ／ｍｍ２未満の球面収差を呈する、請求項２７に記載の眼用レンズ。
【請求項４０】
前記眼用レンズは、前記比較レンズと比べて、レンズ中心からレンズ縁部まで測定された度数変動が少ない、請求項２７に記載の眼用レンズ。
【請求項４１】
前記眼用レンズは、前記比較レンズと比べて、レンズ中心から前記レンズ半径の外側半分以内の位置まで測定された度数変動が少ない、請求項２７に記載の眼用レンズ。
【請求項４２】
前記比較レンズが、非球面状の第１の面と、非トーリック状ではない第２の面と、を含む、請求項２７に記載の眼用レンズ。
【請求項４３】
前記比較レンズが、非球面状の第１の面と、トーリック状の第２の面と、を含む、請求項２７に記載の眼用レンズ。
【請求項４４】
前記比較レンズが、非球面状の第１の面と、非球面状の第２の面と、を含む、請求項２７に記載の眼用レンズ。
【請求項４５】
前記比較レンズが、非球面状の第１の面と、球面状の第２の面と、を含む、請求項２７に記載の眼用レンズ。
【請求項４６】
眼用レンズであって、
第１の面と、
前記第１の面に対向して配置される非トーリック状の第２の面と、を備え、
前記第２の面は、第１の経線に沿った第１の円錐定数と、第２の経線に沿った第２の円錐定数と、を含み、
前記第１の経線は、前記第２の経線に直交しており、
前記眼用レンズは、前記第１の経線に沿ってゼロの球面収差、及び前記第２の経線に沿って標的球面収差を呈するように構成されており、
前記第２の経線に沿った前記標的球面収差は、標的の眼の２次非点収差レベルの矯正に基づいて構成されている、眼用レンズ。
【請求項４７】
前記眼用レンズが、コンタクトレンズを含み、前記第１の面が、前面であり、前記第２の面が、着用者の眼に近接して配置されるように構成されている後面である、請求項４６に記載の眼用レンズ。
【請求項４８】
前記眼用レンズが、コンタクトレンズを含み、前記第１の面が、着用者の眼に近接して配置されるように構成されている後面であり、前記第２の面が、前面である、請求項４６に記載の眼用レンズ。
【請求項４９】
前記第１の面が、非球面、球面、又は回折面のうちの１つを含む、請求項４６に記載の眼用レンズ。
【請求項５０】
前記眼用レンズが、−９Ｄ〜＋６Ｄの球面度数を有する、請求項４６に記載の眼用レンズ。
【請求項５１】
前記眼用レンズが、−０．７５Ｄ〜−３．２５Ｄの円柱度数を有する、請求項４６に記載の眼用レンズ。
【請求項５２】
前記第１の経線が、球面経線であり、前記第２の経線が、円柱経線である、請求項４６に記載の眼用レンズ。
【請求項５３】
前記眼用レンズが、前記第１の経線に沿ってほぼゼロの球面収差を呈する、請求項４６に記載の眼用レンズ。
【請求項５４】
前記眼用レンズが、前記第１の経線に沿ってゼロの球面収差を呈する、請求項４６に記載の眼用レンズ。
【請求項５５】
前記第２の経線に沿った前記標的球面収差が、０．００１Ｄ／ｍｍ２未満である、請求項４６に記載の眼用レンズ。
【請求項５６】
前記眼用レンズが−３．２５Ｄの円柱屈折力を呈するように構成されているとき、前記第２の経線に沿った前記標的球面収差が、０．０５Ｄ／ｍｍ２未満である、請求項４６に記載の眼用レンズ。
【請求項５７】
前記眼用レンズが−２．７５Ｄ〜−３．２５Ｄの円柱屈折力を呈するように構成されているとき、前記第２の経線に沿った前記標的球面収差が、０．０４Ｄ／ｍｍ２未満である、請求項４６に記載の眼用レンズ。
【請求項５８】
前記眼用レンズが−１．７５Ｄ〜−３．２５Ｄの円柱屈折力を呈するように構成されているとき、前記第２の経線に沿った前記標的球面収差が、０．００２Ｄ／ｍｍ２未満である、請求項４６に記載の眼用レンズ。
【請求項５９】
前記眼用レンズが−０．７５Ｄ〜−３．２５Ｄの円柱屈折力を呈するように構成されているとき、前記第２の経線に沿った前記標的球面収差が、０．００１Ｄ／ｍｍ２未満の前記第２の経線に沿った球面収差である、請求項４６に記載の眼用レンズ。
【請求項６０】
前記第２の経線に沿った前記標的球面収差が、前記標的の眼の２次非点収差レベルの逆数に基づいている、請求項４６に記載の眼用レンズ。
【請求項６１】
前記第２の経線に沿った前記標的球面収差が、前記標的の眼の２次非点収差レベルの逆数である、請求項４６に記載の眼用レンズ。
【請求項６２】
眼用レンズであって、
第１の面と、
前記第１の面に対向して配置される非トーリック状の第２の面と、を備え、
前記第２の面は、第１の経線に沿った第１の円錐定数と、第２の経線に沿った第２の円錐定数と、を含み、
前記第１の経線は、前記第２の経線に直交しており、
前記眼用レンズは、前記第１の経線に沿って第１の標的球面収差、及び前記第２の経線に沿って第２の標的球面収差を呈するように構成されており、
前記第１の経線に沿った前記第１の標的球面収差は、標的の眼の１次非点収差レベルの矯正に基づいて構成され、
前記第２の経線に沿った前記第２の標的球面収差は、標的の眼の２次非点収差レベルの矯正に基づいて構成されている、眼用レンズ。
【請求項６３】
前記眼用レンズが、コンタクトレンズを含み、前記第１の面が、前面であり、前記第２の面が、着用者の眼に近接して配置されるように構成されている後面である、請求項６２に記載の眼用レンズ。
【請求項６４】
前記眼用レンズが、コンタクトレンズを含み、前記第１の面が、着用者の眼に近接して配置されるように構成されている後面であり、前記第２の面が、前面である、請求項６２に記載の眼用レンズ。
【請求項６５】
前記第１の面が、非球面、球面、又は回折面のうちの１つを含む、請求項６２に記載の眼用レンズ。
【請求項６６】
前記眼用レンズが、−９Ｄ〜＋６Ｄの球面度数を有する、請求項６２に記載の眼用レンズ。
【請求項６７】
前記眼用レンズが、−０．７５Ｄ〜−３．２５Ｄの円柱度数を有する、請求項６２に記載の眼用レンズ。
【請求項６８】
前記第１の経線が、球面経線であり、前記第２の経線が、円柱経線である、請求項６２に記載の眼用レンズ。
【請求項６９】
前記第１の標的球面収差が、ほぼゼロである、請求項６２に記載の眼用レンズ。
【請求項７０】
前記第１の標的球面収差が、ゼロである、請求項６２に記載の眼用レンズ。
【請求項７１】
前記第１の標的球面収差が、前記標的の眼の１次非点収差レベルの逆数に基づいている、請求項６２に記載の眼用レンズ。
【請求項７２】
前記第１の標的球面収差が、前記標的の眼の１次非点収差レベルの逆数である、請求項６２に記載の眼用レンズ。
【請求項７３】
前記第２の経線に沿った前記第２の標的球面収差が、０．００１Ｄ／ｍｍ２未満である、請求項６２に記載の眼用レンズ。
【請求項７４】
前記眼用レンズが−３．２５Ｄの円柱屈折力を呈するように構成されているとき、前記第２の経線に沿った前記第２の標的球面収差が、０．０５Ｄ／ｍｍ２未満である、請求項６２に記載の眼用レンズ。
【請求項７５】
前記眼用レンズが−２．７５Ｄ〜−３．２５Ｄの円柱屈折力を呈するように構成されているとき、前記第２の経線に沿った前記第２の標的球面収差が、０．０４Ｄ／ｍｍ２未満である、請求項６２に記載の眼用レンズ。
【請求項７６】
前記眼用レンズが−１．７５Ｄ〜−３．２５Ｄの円柱屈折力を呈するように構成されているとき、前記第２の経線に沿った前記第２の標的球面収差が、０．００２Ｄ／ｍｍ２未満である、請求項６２に記載の眼用レンズ。
【請求項７７】
前記眼用レンズが−０．７５Ｄ〜−３．２５Ｄの円柱屈折力を呈するように構成されているとき、前記第２の経線に沿った前記第２の標的球面収差が、０．００１Ｄ／ｍｍ２未満の前記第２の経線に沿った球面収差である、請求項６２に記載の眼用レンズ。
【請求項７８】
前記第２の経線に沿った前記第２の標的球面収差が、前記標的の眼の２次非点収差レベルの逆数に基づいている、請求項６２に記載の眼用レンズ。
【請求項７９】
前記第２の経線に沿った前記第２の標的球面収差が、前記標的の眼の２次非点収差レベルの逆数である、請求項６２に記載の眼用レンズ。
【発明の詳細な説明】
【技術分野】
【０００１】
本開示は、コンタクトレンズを含む装着型レンズ、インレー及びアンレーを含む移植可能なレンズ、並びに光学部品を備える任意の他のタイプのデバイスなどの眼科用デバイス、より具体的には、乱視の矯正のための非トーリック面を有する眼科用デバイスに関する。
【背景技術】
【０００２】
コンタクトレンズなどの眼科用デバイスは、現在、近視（近眼）、遠視（遠眼）、老視、及び乱視などの視覚障害を矯正するのに利用されている。しかしながら、適切に設計されているレンズを、視力の向上並びに視覚障害の矯正に利用することができる。
【０００３】
乱視は、眼が光の焦点を網膜に対称に合わせない屈折異常の一種である。乱視は、患者の網膜の結像性能、及びしたがって患者の知覚される視覚の質を著しく低下させる。像の非対称のぼやけに加えて、より程度の高い乱視は、斜視、眼精疲労、疲労、又は更には頭痛などの症状を引き起こし得る。眼における乱視は、角膜及び水晶体の両方の光軸に対する非対称から生じる場合がある。
【０００４】
円柱度数を用いたコンタクトレンズを使用して、乱視に対処してもよい。現在のコンタクトレンズの設計は、１次非点収差を矯正するが、球面屈折の値によって変化する２次非点収差を誘発する。球面収差（ＳＰＨＡ）に類似している２次非点収差は、屈折異常及び１次非点収差が矯正されていても視覚の質及び整合性に影響を与え得る。２次非点収差が球面屈折によって変化すると、その製品提供は、全ての患者に対して一貫した視覚体験をもたらさない。
【発明の概要】
【課題を解決するための手段】
【０００５】
本開示は、非トーリック面を有する眼科用デバイスに関し、非トーリック面は、乱視の矯正のために構成され得る。特定の態様では、本開示は、ゼロの２次非点収差を有するコンタクトレンズ及びコンタクトレンズを設計する方法を提供し、したがって、改善された、かつより一貫した視覚性能を提供する。追加的又は代替的に、コンタクトレンズの球面収差は、一貫した視覚を提供するために指定することができる。
【０００６】
本開示は、眼用レンズなどの眼科用デバイスに関する。眼科用デバイスは、非球面状の第１の面と、第１の面に対向して配置され、かつユーザーの眼に近接して配置されるように構成されている非トーリック状の第２の面とを備え得る。第２の面は、第１の経線に沿った第１の円錐定数と、第２の経線に沿った第２の円錐定数とを含み得る。眼用レンズは、第１の経線及び第２の経線に沿って球面収差を最小化するように構成され得る。
【図面の簡単な説明】
【０００７】
本開示の上述及び他の特徴と利点は、添付図面に例証されるような、本開示の好ましい実施形態の以下のより詳しい記載から明白となるであろう。
【図１】それぞれスライスが固有の球面を通る球面経線及び円柱経線を示しているトーリック面の例示的図を示す。
【図２】球面及び非球面の断面の例示的図を示す。
【図３】非トーリック面の概略図を示す。
【図４】平坦な角膜曲率を有する経線方向に沿った例示のレンズの度数プロファイルを示す。
【図５】二重非球面曲率を有する例示のレンズの度数プロファイルを示し、度数プロファイルは、急勾配の角膜曲率を有する経線方向に沿って取られている。
【図６】従来の球面曲率を有する例示のレンズの度数プロファイルを示す。
【図７Ａ】球面屈折力に関して円柱状の経線に沿った球面収差のプロットを示す。
【図７Ｂ】球面屈折力に関して非円柱状の経線に沿った球面収差のプロットを示す。
【図８】球面屈折力に関して１次非点収差（ＳＡ１）と２次非点収差（ＳＡ２）との間の差を示した例示のプロットを示す。異なる曲線（異なる線の種類で図示される）は、異なる円柱度数を有する値を示す。破線の長方形によってカバーされる領域は、極端領域（例えば、−９〜−１２Ｄ、−２．７５Ｄ  ｃｙｌ）において２次非点収差の値がかなり高いことを示す。
【図９Ａ】光学設計の２つの実施形態を示し、図９Ａは、非トーリック構造化面を有するレンズの前面及び普通の球面／非球面構造を有するレンズの後面を示し、図９Ｂは、非トーリック構造を有するレンズの後面及び球面／非球面を有するレンズの前面を示す。
【図９Ｂ】光学設計の２つの実施形態を示し、図９Ａは、非トーリック構造化面を有するレンズの前面及び普通の球面／非球面構造を有するレンズの後面を示し、図９Ｂは、非トーリック構造を有するレンズの後面及び球面／非球面を有するレンズの前面を示す。
【図１０Ａ】普通の球面（図１０Ａ）及び非トーリック面（図１０Ｂ）をそれぞれ有するレンズについて、異なる球面度数（−９Ｄ〜＋６Ｄ）及び異なる円柱度数（−０．７５Ｄ〜−３．２５Ｄ）を有する円柱レンズの球面収差のプロットを示す。球面収差の単位は、Ｄ／ｍｍ２である。普通の球面を有するレンズについて、球面収差は、おおよそ−０．０７〜−０．０１Ｄ／ｍｍ２に及ぶ。一方、非トーリック構造では、球面収差は、より少ない範囲をカバーする（おおよそ−０．０１〜０．０１Ｄ／ｍｍ２）。
【図１０Ｂ】普通の球面（図１０Ａ）及び非トーリック面（図１０Ｂ）をそれぞれ有するレンズについて、異なる球面度数（−９Ｄ〜＋６Ｄ）及び異なる円柱度数（−０．７５Ｄ〜−３．２５Ｄ）を有する円柱レンズの球面収差のプロットを示す。球面収差の単位は、Ｄ／ｍｍ２である。普通の球面を有するレンズについて、球面収差は、おおよそ−０．０７〜−０．０１Ｄ／ｍｍ２に及ぶ。一方、非トーリック構造では、球面収差は、より少ない範囲をカバーする（おおよそ−０．０１〜０．０１Ｄ／ｍｍ２）。
【図１１Ａ】図１１Ａの製造された普通の球面レンズ及び図１１Ｂの非トーリック構造を有するレンズ（非トーリック状の後面及び非球面状の前面）の度数プロファイルをそれぞれ示す。実線の曲線は、非点収差でない経線方向に沿った度数プロファイルを示し、破線の曲線は、非点収差方向に沿った度数プロファイルをそれぞれ示す。
【図１１Ｂ】図１１Ａの製造された普通の球面レンズ及び図１１Ｂの非トーリック構造を有するレンズ（非トーリック状の後面及び非球面状の前面）の度数プロファイルをそれぞれ示す。実線の曲線は、非点収差でない経線方向に沿った度数プロファイルを示し、破線の曲線は、非点収差方向に沿った度数プロファイルをそれぞれ示す。
【発明を実施するための形態】
【０００８】
眼科用デバイスとして、移植可能なデバイス、及び／又はコンタクトレンズなどの装着型デバイスを挙げることができる。従来のコンタクトレンズは、様々な視力の問題を矯正する、特定の形状を有するポリマー構造を含む。
【０００９】
典型的な眼の試験の一部として、アイケアの専門家（ＥＣＰ）は、患者の屈折異常を矯正するのに必要なコンタクトレンズ処方を決定してもよい。この処方は、コンタクトレンズの屈折力、円柱度数、及び／又は円柱軸を指定してもよく、この処方を、コンタクトレンズの設計を決定する又は選択するのに使用してもよい。
【００１０】
乱視の矯正のための典型的なコンタクトレンズ設計は、レンズの前側の球面の部分であり、かつレンズの後側のトーリック面の部分であるオプティカルゾーンを含んでもよい。球面屈折は、レンズの厚さ、屈折率、及び／又は球体軸に沿った後面の半径を考慮するとオプティカルゾーン内部の前面の半径によって決定してもよい。
【００１１】
図１は、２つの直交する経線（例えば、球面経線及び円柱経線）に沿って固有の曲率又は半径を有する例示のトーリック面を示す。２つの固有の曲率は、２つの直交軸に沿って２つの固有の度数を提供し得る。曲率におけるこの差を使用して、乱視矯正を提供することができ、球面及び円柱経線の向きは、必要な円柱軸によって指定することができる。眼の上のレンズの適切な軸の維持は、向きの安定化を必要とし、向きの安定化は、多くの異なる方法によって提供することができる。
【００１２】
しかしながら、ＳＰＨＡ（例えば、１次及び／又は２次非点収差）は、前側球面の屈折性、及び後面が２つの直交する経線に沿った球面であるということによってもたらされ得る。オプティカルゾーン内の前面を非球面にすることによって、異なる屈折力にわたり一定値（例えば、一定に近い）を提供するようにＳＰＨＡを矯正又は制御することができる。本明細書に記載されるように、ＳＰＨＡを、球面レンズと比較したときに、非トーリックレンズの中心から縁部までの度数において比較的少ない増分変化をもたらすように矯正又は制御することができる。
【００１３】
図２は、差を示しながら球面及び非球面の断面を示している。更に、トーリック状の後面は、２つの直交する経線に沿って異なる半径を有するので、２つの異なる経線方向に沿ったＳＰＨＡの量は、前面が球面又は非球面であるかどうかを問わず異なる。球面経線及び円柱経線に沿ったＳＰＨＡにおけるこの差は、Ｚｅｒｎｉｋｅ収差の認識では、２次非点収差と呼ばれるものである。本明細書に記載されるように、この２次非点収差は、オプティカルゾーン内の後面を非トーリックにすることによって矯正することができる。あるいは、レンズの前面は、本明細書に記載されるように、非トーリック面を含んでもよい。
【００１４】
光学レンズ設計、視覚シミュレーション及びその適用：
本開示は、２次非点収差を最小化するための、２つの直交する（球面及び円柱）経線に沿って異なる円錐定数を有する非球面状の第１の（例えば、前側）面及び非トーリック状の第２の（例えば、後側）面を備える非球面レンズを含むレンズ設計に関する。したがって、レンズ設計は、屈折異常及び乱視誤差両方の矯正を目的としたコンタクトレンズでＳＰＨＡ及び２次ＳＰＨＡを同時に矯正するように構成されてもよい。着用者の眼の上又は近接して配置される非トーリック状の後面を有するレンズが参照されているが、あるいは、レンズの前面は、非トーリックであってもよく、また球面レンズと比べて本明細書に記載された同じ利点を実現し得る。例として、本開示の態様による眼科用デバイスは、本明細書に詳述するように、デバイスの光学的及び表面形状に基づいて１つ又は２つ以上の経線に沿って眼の非点収差を矯正するように構成されてもよい。
【００１５】
図３は、非トーリック面の概略図を示す。例示の実施例として、一連のレンズ設計を、−９Ｄ〜＋６Ｄをカバーする球面度数、及び−０．７５Ｄ、−１．２５Ｄ、−１．７５Ｄ、−２．２５Ｄ、−２．７５Ｄ、−３．２５Ｄの円柱度数で行った。用意されたレンズについて、後面は、球体軸に沿って同じ非球面曲率（ｒ＝７．８５及びｋ＝−０．２６）を共有した。（球体軸に沿った後面はまた、ｋ＝０を有する球面であってもよく、異なるｒ値を有してもよかった。）個々の球面度数について、非球面状の前面は、球面経線の方向に沿って全体にゼロのＳＰＨＡを有するように設計されている。異なる非球面曲率は、個々の円柱度数（円柱屈折）を用いて、円柱軸に沿ってＳＰＨＡを最小化するように設計され得る。しかしながら、本明細書で後述されるように、１つ又は２つ以上のレンズ面は、球面経線及び円柱経線のうち１つ又は２つ以上に沿って非ゼロのＳＰＨＡを呈することによって眼の非点収差を矯正するように構成され得る。
【００１６】
図４に示されるように、球面経線方向に沿ってゼロのＳＰＨＡ（又は製造許容誤差内でほぼゼロのＳＰＨＡ）を得た。例示の実施例として、図５に示される球面経線の半径に沿って概ね平坦な度数プロファイルは、図４〜図５の対象レンズが球面経線に沿ってＳＰＨＡを最小化するように構成されていることを実証する。
【００１７】
図５は、非点収差の方向に沿った（二重非球面曲率を有するレンズの）度数プロファイルを示しており、その方向に沿ってＳＰＨＡが最小化されたことを示す非常に小さい量の度数変動（〜０．００６Ｄ／ｍｍ２）が観察された。比較のために、図６は、従来のトーリック状の後側の曲率を用いたレンズの度数プロファイルを示す。図５のプロットに対して比較的大きな量の度数変動は、その方向に沿った比較的大きなＳＰＨＡ（〜０．０６Ｄ／ｍｍ２）を示す。したがって、ＳＰＨＡの最小化は、トーリック状の後面を有する従来のレンズと比べて、レンズの中心から縁部まで小さな度数変動を有するレンズを提供することを含み得る。ＳＰＨＡの最小化は、少なくとも１つの球面を有する従来のレンズと比べて、レンズの中心から縁部まで小さな度数変動を有するレンズを提供することを含み得る。
【実施例】
【００１８】
実施例として、ｓａｌｍｏｎデータとして本明細書で参照される臨床データセットは、「Ｎｏｒｍａｌ−ｅｙｅ  Ｚｅｒｎｉｋｅ  ｃｏｅｆｆｉｃｉｅｎｔｓ  ａｎｄ  ｒｏｏｔ−ｍｅａｎ−ｓｑｕａｒｅ  ｗａｖｅｆｒｏｎｔ  ｅｒｒｏｒｓ」Ｊ  Ｃａｔａｒａｃｔ  Ｒｅｆｒａｃｔ  Ｓｕｒｇ．２００６  Ｄｅｃ；３２（１２）：２０６４〜７４に記載されるように、１０サイトにわたって取られたデータセットを表す。ｓａｌｍｏｎデータは、性別、年齢、ＯＤ／ＯＳ、及び他の変数などの患者情報を含む。データは、球面屈折、円柱屈折、円柱軸、及びＺｅｒｎｉｋｅ（瞳孔）を含む測定値を表す。
【００１９】
本開示の態様に従って、またｓａｌｍｏｎデータの分析に基づいて、２つの経線方向に沿って波面データを当てはめ、２つの経線について以下の等式が得られた：
【００２０】
【数１】
2019045859.tif 000003
【００２１】
各経線方向に沿って、二次方程式をデータの当てはめに使用した：
【００２２】
【数２】
2019045859.tif 000004
【００２３】
したがって、２次非点収差を矯正するために、レンズ設計は、以下の関係を満たすように構成されてもよい：
Ｌｅｎｓ  ＳＡ（θ１）＝０；ＳＡ（θ２）＝０；及び／又は
Ｌｅｎｓ  ２ｎｄ  ａｓｔｇ＝ＳＡ（θ１）−ＳＡ（θ２）＝０。
【００２４】
本明細書に記載の球面収差の関係を考慮することによって、眼用レンズは、屈折異常及び乱視誤差両方の矯正を目的としたコンタクトレンズでＳＰＨＡ及び２次ＳＰＨＡを同時に矯正するように構成されてもよい。ＳＰＨＡ及び２次ＳＰＨＡの矯正は、経線に沿って閾値より下である度数変動を呈するレンズを提供することによって実現され得る（例えば、０．０５Ｄ／ｍｍ２、０．０１Ｄ／ｍｍ２、０．００５Ｄ／ｍｍ２、０．００１Ｄ／ｍｍ２）。ＳＰＨＡ及び２次ＳＰＨＡの矯正は、同じ半径を有するが球面を含む実質的に類似のレンズによって呈される度数変動より比較的小さい度数変動をレンズの中心から縁部まで呈するレンズを提供することによって実現され得る。
【００２５】
特定の態様では、特定の着用者又は着用者のグループに対する眼の非点収差は、（ゼロの２次非点収差のためにレンズを構成する代わりに）矯正レンズが標的量のＳＰＨＡを提供するように標的とされ得るか又はカスタマイズされ得るようなものでもよい。実施例として、様々な集団を試験してもよく、集団の着用者の眼の特性を、集計（及び／又は更に処理（例えば、平均化））してもよい。
【００２６】
図７Ａ及び図７Ｂは、円柱経線及び非円柱の方向にそれぞれ沿った眼の球面収差を示す。図８は、眼の１次非点収差と眼の２次非点収差との間の差を示す。異なる曲線（異なる線の種類で図示される）は、異なる円柱度数を有する値を示す。破線の長方形によってカバーされる領域は、極端領域（例えば、−９〜−１２Ｄ、−２．７５Ｄ  ｃｙｌ）において２次非点収差の値が０Ｄにより近い領域より高いことを示した。したがって、逆の２次非点収差の値を有するレンズなどのデバイスは、眼の２次非点収差を補い、より良好な視覚性能を提供するために使用することができる。特に、レンズなどのデバイスは、１つ又は２つ以上の経線に沿って呈される眼の球面収差を補うことによって、特に眼の非点収差を矯正するように構成され得る。例として、デバイスは、図７〜図８に表現される眼の非点収差を呈する個人又は個人のグループの矯正用に特化してカスタマイズされる球面経線及び／又は円柱経線（例えば、数学的に直交する経線）に沿って選択された球面収差を呈するように構成され得る。
【００２７】
図９Ａ及び図９Ｂは、光学設計の２つの実施形態を示し、図９Ａは、非トーリック構造化面を有するレンズの前面及び普通の球面／非球面構造を有するレンズの後面を示し、図９Ｂは、非トーリック構造を有するレンズの後面及び球面／非球面を有するレンズの前面を示す。本明細書に記載されるように、非トーリック構造化面を含む少なくとも１つの面を有するレンズは、１次ＳＰＨＡ及び２次ＳＰＨＡの矯正を呈し得る。
【００２８】
図１０Ａ及び図１０Ｂは、（ａ）普通の球面及び（ｂ）非トーリック面をそれぞれ有するレンズについて、異なる球面度数（−９Ｄ〜＋６Ｄ）及び異なる円柱度数（−０．７５Ｄ〜−３．２５Ｄ）を有する円柱レンズの球面収差のプロットを示す。球面収差の単位は、Ｄ／ｍｍ２である。普通の球面を有するレンズについて、球面収差は、おおよそ−０．０７〜−０．０１Ｄ／ｍｍ２に及ぶ。しかしながら、非トーリック構造では、球面収差は、より少ない範囲をカバーする（おおよそ−０．０１〜０．０１Ｄ／ｍｍ２）。したがって、レンズにおける非トーリック構造は、球面を有するレンズに対して改善された２次ＳＰＨＡを呈することが観察されている。したがって、非トーリック構造の組み入れは、ＳＰＨＡを最小化し得る。
【００２９】
図１１Ａ及び図１１Ｂは、（ａ）製造された普通の球面レンズ及び（ｂ）非トーリック構造を有するレンズ（非トーリック状の後面及び非球面状の前面）の度数プロファイルをそれぞれ示す。実線の曲線は、非点収差でない経線方向に沿った度数プロファイルを示し、破線の曲線は、非点収差方向に沿った度数プロファイルをそれぞれ示す。２つの曲線間の差は、乱視度数を示す。図１１Ａでは、レンズ中心からレンズの縁部まで円柱度数の有意な増加が存在し、このことは、有意な量の２次非点収差を示す。一方、図１１Ｂでは、レンズ縁部での円柱度数の増加は、それほど有意ではなく、ほとんどゼロ（又はゼロ）の２次非点収差を示す。
【００３０】
態様：
様々な態様において、本開示は、以下の態様の１つ又は２つ以上に関連し得る。
【００３１】
態様１：眼用レンズであって、第１の面と、第１の面に対向して配置される非トーリック状の第２の面と、を備え、第２の面は、第１の経線に沿った第１の円錐定数と、第２の経線に沿った第２の円錐定数と、を含み、第１の経線は、第２の経線に直交しており、眼用レンズは、第１の経線及び第２の経線に沿って球面収差を最小化するように構成されている、眼用レンズ。
【００３２】
態様２：眼用レンズが、コンタクトレンズを含み、第１の面が、前面であり、第２の面が、着用者の眼に近接して配置されるように構成されている後面である、態様１に記載の眼用レンズ。
【００３３】
態様３：眼用レンズが、コンタクトレンズを含み、第１の面が、着用者の眼に近接して配置されるように構成されている後面であり、第２の面が、前面である、態様１に記載の眼用レンズ。
【００３４】
態様４：第１の面が、非球面、球面、又は回折面のうちの１つを含む、態様１〜３のいずれか一態様に記載の眼用レンズ。
【００３５】
態様５：眼用レンズが、−９Ｄ〜＋６Ｄの球面度数を有する、態様１〜４のいずれか一態様に記載の眼用レンズ。
【００３６】
態様６：眼用レンズが、−０．７５Ｄ〜−３．２５Ｄの円柱度数を有する、態様１〜５のいずれか一態様に記載の眼用レンズ。
【００３７】
態様７：第１の経線が、球面経線であり、第２の経線が、円柱経線である、態様１〜６のいずれか一態様に記載の眼用レンズ。
【００３８】
態様８：眼用レンズが、第１の経線に沿ってほぼゼロの球面収差を呈する、態様１〜７のいずれか一態様に記載の眼用レンズ。
【００３９】
態様９：眼用レンズが、第１の経線に沿ってゼロの球面収差を呈する、態様１〜８のいずれか一態様に記載の眼用レンズ。
【００４０】
態様１０：眼用レンズが、第２の経線に沿って、０．００１Ｄ／ｍｍ２未満の球面収差を呈する、態様１〜９のいずれか一態様に記載の眼用レンズ。
【００４１】
態様１１：眼用レンズが、−３．２５Ｄの円柱屈折力を呈するように構成されているとき、第２の経線に沿って、０．０５Ｄ／ｍｍ２未満の球面収差を呈する、態様１〜９のいずれか一態様に記載の眼用レンズ。
【００４２】
態様１２：眼用レンズが、−２．７５Ｄ〜−３．２５Ｄの円柱屈折力を呈するように構成されているとき、第２の経線に沿って、０．０４Ｄ／ｍｍ２未満の球面収差を呈する、態様１〜９のいずれか一態様に記載の眼用レンズ。
【００４３】
態様１３：眼用レンズが、−１．７５Ｄ〜−３．２５Ｄの円柱屈折力を呈するように構成されているとき、第２の経線に沿って、０．００２Ｄ／ｍｍ２未満の球面収差を呈する、態様１〜９のいずれか一態様に記載の眼用レンズ。
【００４４】
態様１４：眼用レンズが、−０．７５Ｄ〜−３．２５Ｄの円柱屈折力を呈するように構成されているとき、第２の経線に沿って、０．００１Ｄ／ｍｍ２未満の球面収差を呈する、態様１〜９のいずれか一態様に記載の眼用レンズ。
【００４５】
態様１５：眼用レンズであって、非球面状の前面と、前面に対向して配置される非トーリック状の後面と、を備え、後面は、球面経線に沿った第１の円錐定数と、円柱経線に沿った第２の円錐定数と、を含み、球面経線は、円柱経線に直交しており、眼用レンズは、球面経線及び円柱経線に沿ってレンズの球面収差を最小化するように構成されている、眼用レンズ。
【００４６】
態様１６：眼用レンズが、コンタクトレンズを含む、態様１５に記載の眼用レンズ。
【００４７】
態様１７：コンタクトレンズが、ソフト又はハイブリッドコンタクトレンズを含む、態様１６に記載の眼用レンズ。
【００４８】
態様１８：眼用レンズが、−９Ｄ〜＋６Ｄの球面度数を有する、態様１５〜１７のいずれか一態様に記載の眼用レンズ。
【００４９】
態様１９：眼用レンズが、−０．７５Ｄ〜−３．２５Ｄの円柱度数を有する、態様１５〜１８のいずれか一態様に記載の眼用レンズ。
【００５０】
態様２０：眼用レンズが、球面経線に沿ってほぼゼロの球面収差を呈する、態様１５〜１９のいずれか一態様に記載の眼用レンズ。
【００５１】
態様２１：眼用レンズが、球面経線に沿ってゼロの球面収差を呈する、態様１５〜２０のいずれか一態様に記載の眼用レンズ。
【００５２】
態様２２：眼用レンズが、円柱経線に沿って、０．００１Ｄ／ｍｍ２未満の球面収差を呈する、態様１５〜２１のいずれか一態様に記載の眼用レンズ。
【００５３】
態様２３：眼用レンズが、−３．２５Ｄの円柱屈折力を呈するように構成されているとき、円柱経線に沿って、０．０５Ｄ／ｍｍ２未満の球面収差を呈する、態様１５〜２１のいずれか一態様に記載の眼用レンズ。
【００５４】
態様２４：眼用レンズが、−２．７５Ｄ〜−３．２５Ｄの円柱屈折力を呈するように構成されているとき、円柱経線に沿って、０．０４Ｄ／ｍｍ２未満の球面収差を呈する、態様１５〜２１のいずれか一態様に記載の眼用レンズ。
【００５５】
態様２５：眼用レンズが、−１．７５Ｄ〜−３．２５Ｄの円柱屈折力を呈するように構成されているとき、円柱経線に沿って、０．００２Ｄ／ｍｍ２未満の球面収差を呈する、態様１５〜２１のいずれか一態様に記載の眼用レンズ。
【００５６】
態様２６：眼用レンズが、−０．７５Ｄ〜−３．２５Ｄの円柱屈折力を呈するように構成されているとき、円柱経線に沿って、０．００１Ｄ／ｍｍ２未満の球面収差を呈する、態様１５〜２１のいずれか一態様に記載の眼用レンズ。
【００５７】
態様２７：眼用レンズであって、非球面状の第１の面と、第１の面に対向して配置される非トーリック状の第２の面と、を備え、第２の面は、第１の経線に沿った第１の円錐定数と、第２の経線に沿った第２の円錐定数と、を含み、第１の経線は、第２の経線に直交しており、眼用レンズは、眼用レンズと本質的に同じ構成からなるが非トーリック状の第２の面がない比較レンズと比べて、第２の経線（merdian）に沿って小さい球面収差を呈する、眼用レンズ。
【００５８】
態様２８：第１の面が、前面であり、第２の面が、着用者の眼に近接して配置されるように構成されている後面である、態様２７に記載の眼用レンズ。
【００５９】
態様２９：第１の面が、着用者の眼に近接して配置されるように構成されている後面であり、第２の面が、前面である、態様２７に記載の眼用レンズ。
【００６０】
態様３０：眼用レンズが、−９Ｄ〜＋６Ｄの球面度数を有する、態様２７〜２９のいずれか一態様に記載の眼用レンズ。
【００６１】
態様３１：眼用レンズが、−０．７５Ｄ〜−３．２５Ｄの円柱度数を有する、態様２７〜３０のいずれか一態様に記載の眼用レンズ。
【００６２】
態様３２：第１の経線が、球面経線であり、第２の経線が、円柱経線である、態様２７〜３１のいずれか一態様に記載の眼用レンズ。
【００６３】
態様３３：眼用レンズが、第１の経線に沿ってほぼゼロの球面収差を呈する、態様２７〜３２のいずれか一態様に記載の眼用レンズ。
【００６４】
態様３４：眼用レンズが、第１の経線に沿ってゼロの球面収差を呈する、態様２７〜３３のいずれか一態様に記載の眼用レンズ。
【００６５】
態様３５：眼用レンズが、第２の経線に沿って、０．００１Ｄ／ｍｍ２未満の球面収差を呈する、態様２７〜３４のいずれか一態様に記載の眼用レンズ。
【００６６】
態様３６：眼用レンズが、−３．２５Ｄの円柱屈折力を呈するように構成されているとき、第２の経線に沿って、０．０５Ｄ／ｍｍ２未満の球面収差を呈する、態様２７〜３４のいずれか一態様に記載の眼用レンズ。
【００６７】
態様３７：眼用レンズが、−２．７５Ｄ〜−３．２５Ｄの円柱屈折力を呈するように構成されているとき、第２の経線に沿って、０．０４Ｄ／ｍｍ２未満の球面収差を呈する、態様２７〜３４のいずれか一態様に記載の眼用レンズ。
【００６８】
態様３８：眼用レンズが、−１．７５Ｄ〜−３．２５Ｄの円柱屈折力を呈するように構成されているとき、第２の経線に沿って、０．００２Ｄ／ｍｍ２未満の球面収差を呈する、態様２７〜３４のいずれか一態様に記載の眼用レンズ。
【００６９】
態様３９：眼用レンズが、−０．７５Ｄ〜−３．２５Ｄの円柱屈折力を呈するように構成されているとき、第２の経線に沿って、０．００１Ｄ／ｍｍ２未満の球面収差を呈する、態様２７〜３４のいずれか一態様に記載の眼用レンズ。
【００７０】
態様４０：眼用レンズは、比較レンズと比べて、レンズ中心からレンズ縁部まで測定された度数変動が少ない、態様２７〜３９のいずれか一態様に記載の眼用レンズ。
【００７１】
態様４１：眼用レンズは、比較レンズと比べて、レンズ中心からレンズ半径の外側半分以内の位置まで測定された度数変動が少ない、態様２７〜３９のいずれか一態様に記載の眼用レンズ。
【００７２】
態様４２：比較レンズが、非球面状の第１の面と、非トーリック状ではない第２の面と、を含む、態様２７〜４１のいずれか一態様に記載の眼用レンズ。
【００７３】
態様４３：比較レンズが、非球面状の第１の面と、トーリック状の第２の面と、を含む、態様２７〜４１のいずれか一態様に記載の眼用レンズ。
【００７４】
態様４４：比較レンズが、非球面状の第１の面と、非球面状の第２の面と、を含む、態様２７〜４１のいずれか一態様に記載の眼用レンズ。
【００７５】
態様４５：比較レンズが、非球面状の第１の面と、球面状の第２の面と、を含む、態様２７〜４１のいずれか一態様に記載の眼用レンズ。
【００７６】
態様４６：眼用レンズであって、第１の面と、第１の面に対向して配置される非トーリック状の第２の面と、を備え、第２の面は、第１の経線に沿った第１の円錐定数と、第２の経線に沿った第２の円錐定数と、を含み、第１の経線は、第２の経線に直交しており、眼用レンズは、第１の経線に沿ってゼロの球面収差、及び第２の経線に沿って標的球面収差を呈するように構成されており、第２の経線に沿った標的球面収差は、標的の眼の２次非点収差レベルの矯正に基づいて構成されている、眼用レンズ。
【００７７】
態様４７：眼用レンズが、コンタクトレンズを含み、第１の面が、前面であり、第２の面が、着用者の眼に近接して配置されるように構成されている後面である、態様４６に記載の眼用レンズ。
【００７８】
態様４８：眼用レンズが、コンタクトレンズを含み、第１の面が、着用者の眼に近接して配置されるように構成されている後面であり、第２の面が、前面である、態様４６に記載の眼用レンズ。
【００７９】
態様４９：第１の面が、非球面、球面、又は回折面のうちの１つを含む、態様４６〜４８のいずれか一態様に記載の眼用レンズ。
【００８０】
態様５０：眼用レンズが、−９Ｄ〜＋６Ｄの球面度数を有する、態様４６〜４９のいずれか一態様に記載の眼用レンズ。
【００８１】
態様５１：眼用レンズが、−０．７５Ｄ〜−３．２５Ｄの円柱度数を有する、態様４６〜５０のいずれか一態様に記載の眼用レンズ。
【００８２】
態様５２：第１の経線が、球面経線であり、第２の経線が、円柱経線である、態様４６〜５１のいずれか一態様に記載の眼用レンズ。
【００８３】
態様５３：眼用レンズが、第１の経線に沿ってほぼゼロの球面収差を呈する、態様４６〜５２のいずれか一態様に記載の眼用レンズ。
【００８４】
態様５４：眼用レンズが、第１の経線に沿ってゼロの球面収差を呈する、態様４６〜５３のいずれか一態様に記載の眼用レンズ。
【００８５】
態様５５：第２の経線に沿った標的球面収差が、０．００１Ｄ／ｍｍ２未満である、態様４６〜５４のいずれか一態様に記載の眼用レンズ。
【００８６】
態様５６：眼用レンズが−３．２５Ｄの円柱屈折力を呈するように構成されているとき、第２の経線に沿った標的球面収差が、０．０５Ｄ／ｍｍ２未満である、態様４６〜５４のいずれか一態様に記載の眼用レンズ。
【００８７】
態様５７：眼用レンズが−２．７５Ｄ〜−３．２５Ｄの円柱屈折力を呈するように構成されているとき、第２の経線に沿った標的球面収差が、０．０４Ｄ／ｍｍ２未満である、態様４６〜５４のいずれか一態様に記載の眼用レンズ。
【００８８】
態様５８：眼用レンズが−１．７５Ｄ〜−３．２５Ｄの円柱屈折力を呈するように構成されているとき、第２の経線に沿った標的球面収差が、０．００２Ｄ／ｍｍ２未満である、態様４６〜５４のいずれか一態様に記載の眼用レンズ。
【００８９】
態様５９：眼用レンズが−０．７５Ｄ〜−３．２５Ｄの円柱屈折力を呈するように構成されているとき、第２の経線に沿った標的球面収差が、０．００１Ｄ／ｍｍ２未満の第２の経線に沿った球面収差である、態様４６〜５４のいずれか一態様に記載の眼用レンズ。
【００９０】
態様６０：第２の経線に沿った標的球面収差が、標的の眼の２次非点収差レベルの逆数に基づいている、態様４６〜５９のいずれか一態様に記載の眼用レンズ。
【００９１】
態様６１：第２の経線に沿った標的球面収差が、標的の眼の２次非点収差レベルの逆数である、態様４６〜５９のいずれか一態様に記載の眼用レンズ。
【００９２】
態様６２：眼用レンズであって、第１の面と、第１の面に対向して配置される非トーリック状の第２の面と、を備え、第２の面は、第１の経線に沿った第１の円錐定数と、第２の経線に沿った第２の円錐定数と、を含み、第１の経線は、第２の経線に直交しており、眼用レンズは、第１の経線に沿って第１の標的球面収差、及び第２の経線に沿って第２の標的球面収差を呈するように構成されており、第１の経線に沿った第１の標的球面収差は、標的の眼の１次非点収差レベルの矯正に基づいて構成され、第２の経線に沿った第２の標的球面収差は、標的の眼の２次非点収差レベルの矯正に基づいて構成されている、眼用レンズ。
【００９３】
態様６３：眼用レンズが、コンタクトレンズを含み、第１の面が、前面であり、第２の面が、着用者の眼に近接して配置されるように構成されている後面である、態様６２に記載の眼用レンズ。
【００９４】
態様６４：眼用レンズが、コンタクトレンズを含み、第１の面が、着用者の眼に近接して配置されるように構成されている後面であり、第２の面が、前面である、態様６２に記載の眼用レンズ。
【００９５】
態様６５：第１の面が、非球面、球面、又は回折面のうちの１つを含む、態様６２〜６４のいずれか一態様に記載の眼用レンズ。
【００９６】
態様６６：眼用レンズが、−９Ｄ〜＋６Ｄの球面度数を有する、態様６２〜６５のいずれか一態様に記載の眼用レンズ。
【００９７】
態様６７：眼用レンズが、−０．７５Ｄ〜−３．２５Ｄの円柱度数を有する、態様６２〜６６のいずれか一態様に記載の眼用レンズ。
【００９８】
態様６８：第１の経線が、球面経線であり、第２の経線が、円柱経線である、態様６２〜６７のいずれか一態様に記載の眼用レンズ。
【００９９】
態様６９：第１の標的球面収差が、ほぼゼロである、態様６２〜６８のいずれか一態様に記載の眼用レンズ。
【０１００】
態様７０：第１の標的球面収差が、ゼロである、態様６２〜６９のいずれか一態様に記載の眼用レンズ。
【０１０１】
態様７１：第１の標的球面収差が、標的の眼の１次非点収差レベルの逆数に基づいている、態様６２〜７０のいずれか一態様に記載の眼用レンズ。
【０１０２】
態様７２：第１の標的球面収差が、標的の眼の１次非点収差レベルの逆数である、態様６２〜７０のいずれか一態様に記載の眼用レンズ。
【０１０３】
態様７３：第２の経線に沿った第２の標的球面収差が、０．００１Ｄ／ｍｍ２未満である、態様６２〜７２のいずれか一態様に記載の眼用レンズ。
【０１０４】
態様７４：眼用レンズが−３．２５Ｄの円柱屈折力を呈するように構成されているとき、第２の経線に沿った第２の標的球面収差が、０．０５Ｄ／ｍｍ２未満である、態様６２〜７２のいずれか一態様に記載の眼用レンズ。
【０１０５】
態様７５：眼用レンズが−２．７５Ｄ〜−３．２５Ｄの円柱屈折力を呈するように構成されているとき、第２の経線に沿った第２の標的球面収差が、０．０４Ｄ／ｍｍ２未満である、態様６２〜７２のいずれか一態様に記載の眼用レンズ。
【０１０６】
態様７６：眼用レンズが−１．７５Ｄ〜−３．２５Ｄの円柱屈折力を呈するように構成されているとき、第２の経線に沿った第２の標的球面収差が、０．００２Ｄ／ｍｍ２未満である、態様６２〜７２のいずれか一態様に記載の眼用レンズ。
【０１０７】
態様７７：眼用レンズが−０．７５Ｄ〜−３．２５Ｄの円柱屈折力を呈するように構成されているとき、第２の経線に沿った第２の標的球面収差が、０．００１Ｄ／ｍｍ２未満の第２の経線に沿った球面収差である、態様６２〜７２のいずれか一態様に記載の眼用レンズ。
【０１０８】
態様７８：第２の経線に沿った第２の標的球面収差が、標的の接眼の２次非点収差レベルの逆数に基づいている、態様６２〜７２のいずれか一態様に記載の眼用レンズ。
【０１０９】
態様７９：第２の経線に沿った第２の標的球面収差が、標的の眼の２次非点収差レベルの逆数である、態様６２〜７２のいずれか一態様に記載の眼用レンズ。
【０１１０】
ここで図示及び説明した実施形態は、最も実用的で好適な実施形態と考えられるが、当業者であれば、ここに図示及び開示した特定の設計及び方法からの変更はそれ自体当業者にとって自明であり、本発明の趣旨及び範囲から逸脱することなく使用できることは明らかであろう。本発明は、記載し例証した特定の構成に限定されないが、添付の特許請求の範囲に含まれ得る全ての修正と一貫するように構成されているべきである。更に、繰り返し使用されている用語「ｃｏｍｐｒｉｓｉｎｇ」は、用語「ｃｏｍｐｒｉｓｉｎｇ」の使用によって、そのような用語に対して本明細書で裏付けが見出されるように、「から本質的になる」及び／又は「からなる」を含み得る。
【０１１１】
〔実施の態様〕
（１）  眼用レンズであって、
第１の面と、
前記第１の面に対向して配置される非トーリック状の第２の面と、を備え、
前記第２の面は、第１の経線に沿った第１の円錐定数と、第２の経線に沿った第２の円錐定数と、を含み、
前記第１の経線は、前記第２の経線に直交しており、
前記眼用レンズは、前記第１の経線及び前記第２の経線に沿って球面収差を最小化するように構成されている、眼用レンズ。
（２）  前記眼用レンズが、コンタクトレンズを含み、前記第１の面が、前面であり、前記第２の面が、着用者の眼に近接して配置されるように構成されている後面である、実施態様１に記載の眼用レンズ。
（３）  前記眼用レンズが、コンタクトレンズを含み、前記第１の面が、着用者の眼に近接して配置されるように構成されている後面であり、前記第２の面が、前面である、実施態様１に記載の眼用レンズ。
（４）  前記第１の面が、非球面、球面、又は回折面のうちの１つを含む、実施態様１に記載の眼用レンズ。
（５）  前記眼用レンズが、−９Ｄ〜＋６Ｄの球面度数を有する、実施態様１に記載の眼用レンズ。
【０１１２】
（６）  前記眼用レンズが、−０．７５Ｄ〜−３．２５Ｄの円柱度数を有する、実施態様１に記載の眼用レンズ。
（７）  前記第１の経線が、球面経線（sphere meridian）であり、前記第２の経線が、円柱経線（cylinder meridian）である、実施態様１に記載の眼用レンズ。
（８）  前記眼用レンズが、前記第１の経線に沿ってほぼゼロの球面収差を呈する、実施態様１に記載の眼用レンズ。
（９）  前記眼用レンズが、前記第１の経線に沿ってゼロの球面収差を呈する、実施態様１に記載の眼用レンズ。
（１０）  前記眼用レンズが、前記第２の経線に沿って、０．００１Ｄ／ｍｍ２未満の球面収差を呈する、実施態様１に記載の眼用レンズ。
【０１１３】
（１１）  前記眼用レンズが、−３．２５Ｄの円柱屈折力を呈するように構成されているとき、前記第２の経線に沿って、０．０５Ｄ／ｍｍ２未満の球面収差を呈する、実施態様１に記載の眼用レンズ。
（１２）  前記眼用レンズが、−２．７５Ｄ〜−３．２５Ｄの円柱屈折力を呈するように構成されているとき、前記第２の経線に沿って、０．０４Ｄ／ｍｍ２未満の球面収差を呈する、実施態様１に記載の眼用レンズ。
（１３）  前記眼用レンズが、−１．７５Ｄ〜−３．２５Ｄの円柱屈折力を呈するように構成されているとき、前記第２の経線に沿って、０．００２Ｄ／ｍｍ２未満の球面収差を呈する、実施態様１に記載の眼用レンズ。
（１４）  前記眼用レンズが、−０．７５Ｄ〜−３．２５Ｄの円柱屈折力を呈するように構成されているとき、前記第２の経線に沿って、０．００１Ｄ／ｍｍ２未満の球面収差を呈する、実施態様１に記載の眼用レンズ。
（１５）  眼用レンズであって、
非球面状の前面と、
前記前面に対向して配置される非トーリック状の後面と、を備え、
前記後面は、球面経線に沿った第１の円錐定数と、円柱経線に沿った第２の円錐定数と、を含み、
前記球面経線は、前記円柱経線に直交しており、
前記眼用レンズは、前記球面経線及び前記円柱経線に沿って前記レンズの球面収差を最小化するように構成されている、眼用レンズ。
【０１１４】
（１６）  前記眼用レンズが、コンタクトレンズを含む、実施態様１５に記載の眼用レンズ。
（１７）  前記コンタクトレンズが、ソフト又はハイブリッドコンタクトレンズを含む、実施態様１６に記載の眼用レンズ。
（１８）  前記眼用レンズが、−９Ｄ〜＋６Ｄの球面度数を有する、実施態様１５に記載の眼用レンズ。
（１９）  前記眼用レンズが、−０．７５Ｄ〜−３．２５Ｄの円柱度数を有する、実施態様１５に記載の眼用レンズ。
（２０）  前記眼用レンズが、前記球面経線に沿ってほぼゼロの球面収差を呈する、実施態様１５に記載の眼用レンズ。
【０１１５】
（２１）  前記眼用レンズが、前記球面経線に沿ってゼロの球面収差を呈する、実施態様１５に記載の眼用レンズ。
（２２）  前記眼用レンズが、前記円柱経線に沿って、０．００１Ｄ／ｍｍ２未満の球面収差を呈する、実施態様１５に記載の眼用レンズ。
（２３）  前記眼用レンズが、−３．２５Ｄの円柱屈折力を呈するように構成されているとき、前記円柱経線に沿って、０．０５Ｄ／ｍｍ２未満の球面収差を呈する、実施態様１５に記載の眼用レンズ。
（２４）  前記眼用レンズが、−２．７５Ｄ〜−３．２５Ｄの円柱屈折力を呈するように構成されているとき、前記円柱経線に沿って、０．０４Ｄ／ｍｍ２未満の球面収差を呈する、実施態様１５に記載の眼用レンズ。
（２５）  前記眼用レンズが、−１．７５Ｄ〜−３．２５Ｄの円柱屈折力を呈するように構成されているとき、前記円柱経線に沿って、０．００２Ｄ／ｍｍ２未満の球面収差を呈する、実施態様１５に記載の眼用レンズ。
【０１１６】
（２６）  前記眼用レンズが、−０．７５Ｄ〜−３．２５Ｄの円柱屈折力を呈するように構成されているとき、前記円柱経線に沿って、０．００１Ｄ／ｍｍ２未満の球面収差を呈する、実施態様１５に記載の眼用レンズ。
（２７）  眼用レンズであって、
非球面状の第１の面と、
前記第１の面に対向して配置される非トーリック状の第２の面と、を備え、
前記第２の面は、第１の経線に沿った第１の円錐定数と、第２の経線に沿った第２の円錐定数と、を含み、
前記第１の経線は、前記第２の経線に直交しており、
前記眼用レンズは、前記眼用レンズと本質的に同じ構成からなるが前記非トーリック状の第２の面がない比較レンズと比べて、前記第２の経線に沿って小さい球面収差を呈する、眼用レンズ。
（２８）  前記第１の面が、前面であり、前記第２の面が、着用者の眼に近接して配置されるように構成されている後面である、実施態様２７に記載の眼用レンズ。
（２９）  前記第１の面が、着用者の眼に近接して配置されるように構成されている後面であり、前記第２の面が、前面である、実施態様２７に記載の眼用レンズ。
（３０）  前記眼用レンズが、−９Ｄ〜＋６Ｄの球面度数を有する、実施態様２７に記載の眼用レンズ。
【０１１７】
（３１）  前記眼用レンズが、−０．７５Ｄ〜−３．２５Ｄの円柱度数を有する、実施態様２７に記載の眼用レンズ。
（３２）  前記第１の経線が、球面経線であり、前記第２の経線が、円柱経線である、実施態様２７に記載の眼用レンズ。
（３３）  前記眼用レンズが、前記第１の経線に沿ってほぼゼロの球面収差を呈する、実施態様２７に記載の眼用レンズ。
（３４）  前記眼用レンズが、前記第１の経線に沿ってゼロの球面収差を呈する、実施態様２７に記載の眼用レンズ。
（３５）  前記眼用レンズが、前記第２の経線に沿って、０．００１Ｄ／ｍｍ２未満の球面収差を呈する、実施態様２７に記載の眼用レンズ。
【０１１８】
（３６）  前記眼用レンズが、−３．２５Ｄの円柱屈折力を呈するように構成されているとき、前記第２の経線に沿って、０．０５Ｄ／ｍｍ２未満の球面収差を呈する、実施態様２７に記載の眼用レンズ。
（３７）  前記眼用レンズが、−２．７５Ｄ〜−３．２５Ｄの円柱屈折力を呈するように構成されているとき、前記第２の経線に沿って、０．０４Ｄ／ｍｍ２未満の球面収差を呈する、実施態様２７に記載の眼用レンズ。
（３８）  前記眼用レンズが、−１．７５Ｄ〜−３．２５Ｄの円柱屈折力を呈するように構成されているとき、前記第２の経線に沿って、０．００２Ｄ／ｍｍ２未満の球面収差を呈する、実施態様２７に記載の眼用レンズ。
（３９）  前記眼用レンズが、−０．７５Ｄ〜−３．２５Ｄの円柱屈折力を呈するように構成されているとき、前記第２の経線に沿って、０．００１Ｄ／ｍｍ２未満の球面収差を呈する、実施態様２７に記載の眼用レンズ。
（４０）  前記眼用レンズは、前記比較レンズと比べて、レンズ中心からレンズ縁部まで測定された度数変動が少ない、実施態様２７に記載の眼用レンズ。
【０１１９】
（４１）  前記眼用レンズは、前記比較レンズと比べて、レンズ中心から前記レンズ半径の外側半分以内の位置まで測定された度数変動が少ない、実施態様２７に記載の眼用レンズ。
（４２）  前記比較レンズが、非球面状の第１の面と、非トーリック状ではない第２の面と、を含む、実施態様２７に記載の眼用レンズ。
（４３）  前記比較レンズが、非球面状の第１の面と、トーリック状の第２の面と、を含む、実施態様２７に記載の眼用レンズ。
（４４）  前記比較レンズが、非球面状の第１の面と、非球面状の第２の面と、を含む、実施態様２７に記載の眼用レンズ。
（４５）  前記比較レンズが、非球面状の第１の面と、球面状の第２の面と、を含む、実施態様２７に記載の眼用レンズ。
【０１２０】
（４６）  眼用レンズであって、
第１の面と、
前記第１の面に対向して配置される非トーリック状の第２の面と、を備え、
前記第２の面は、第１の経線に沿った第１の円錐定数と、第２の経線に沿った第２の円錐定数と、を含み、
前記第１の経線は、前記第２の経線に直交しており、
前記眼用レンズは、前記第１の経線に沿ってゼロの球面収差、及び前記第２の経線に沿って標的球面収差を呈するように構成されており、
前記第２の経線に沿った前記標的球面収差は、標的の眼の２次非点収差レベルの矯正に基づいて構成されている、眼用レンズ。
（４７）  前記眼用レンズが、コンタクトレンズを含み、前記第１の面が、前面であり、前記第２の面が、着用者の眼に近接して配置されるように構成されている後面である、実施態様４６に記載の眼用レンズ。
（４８）  前記眼用レンズが、コンタクトレンズを含み、前記第１の面が、着用者の眼に近接して配置されるように構成されている後面であり、前記第２の面が、前面である、実施態様４６に記載の眼用レンズ。
（４９）  前記第１の面が、非球面、球面、又は回折面のうちの１つを含む、実施態様４６に記載の眼用レンズ。
（５０）  前記眼用レンズが、−９Ｄ〜＋６Ｄの球面度数を有する、実施態様４６に記載の眼用レンズ。
【０１２１】
（５１）  前記眼用レンズが、−０．７５Ｄ〜−３．２５Ｄの円柱度数を有する、実施態様４６に記載の眼用レンズ。
（５２）  前記第１の経線が、球面経線であり、前記第２の経線が、円柱経線である、実施態様４６に記載の眼用レンズ。
（５３）  前記眼用レンズが、前記第１の経線に沿ってほぼゼロの球面収差を呈する、実施態様４６に記載の眼用レンズ。
（５４）  前記眼用レンズが、前記第１の経線に沿ってゼロの球面収差を呈する、実施態様４６に記載の眼用レンズ。
（５５）  前記第２の経線に沿った前記標的球面収差が、０．００１Ｄ／ｍｍ２未満である、実施態様４６に記載の眼用レンズ。
【０１２２】
（５６）  前記眼用レンズが−３．２５Ｄの円柱屈折力を呈するように構成されているとき、前記第２の経線に沿った前記標的球面収差が、０．０５Ｄ／ｍｍ２未満である、実施態様４６に記載の眼用レンズ。
（５７）  前記眼用レンズが−２．７５Ｄ〜−３．２５Ｄの円柱屈折力を呈するように構成されているとき、前記第２の経線に沿った前記標的球面収差が、０．０４Ｄ／ｍｍ２未満である、実施態様４６に記載の眼用レンズ。
（５８）  前記眼用レンズが−１．７５Ｄ〜−３．２５Ｄの円柱屈折力を呈するように構成されているとき、前記第２の経線に沿った前記標的球面収差が、０．００２Ｄ／ｍｍ２未満である、実施態様４６に記載の眼用レンズ。
（５９）  前記眼用レンズが−０．７５Ｄ〜−３．２５Ｄの円柱屈折力を呈するように構成されているとき、前記第２の経線に沿った前記標的球面収差が、０．００１Ｄ／ｍｍ２未満の前記第２の経線に沿った球面収差である、実施態様４６に記載の眼用レンズ。
（６０）  前記第２の経線に沿った前記標的球面収差が、前記標的の眼の２次非点収差レベルの逆数に基づいている、実施態様４６に記載の眼用レンズ。
【０１２３】
（６１）  前記第２の経線に沿った前記標的球面収差が、前記標的の眼の２次非点収差レベルの逆数である、実施態様４６に記載の眼用レンズ。
（６２）  眼用レンズであって、
第１の面と、
前記第１の面に対向して配置される非トーリック状の第２の面と、を備え、
前記第２の面は、第１の経線に沿った第１の円錐定数と、第２の経線に沿った第２の円錐定数と、を含み、
前記第１の経線は、前記第２の経線に直交しており、
前記眼用レンズは、前記第１の経線に沿って第１の標的球面収差、及び前記第２の経線に沿って第２の標的球面収差を呈するように構成されており、
前記第１の経線に沿った前記第１の標的球面収差は、標的の眼の１次非点収差レベルの矯正に基づいて構成され、
前記第２の経線に沿った前記第２の標的球面収差は、標的の眼の２次非点収差レベルの矯正に基づいて構成されている、眼用レンズ。
（６３）  前記眼用レンズが、コンタクトレンズを含み、前記第１の面が、前面であり、前記第２の面が、着用者の眼に近接して配置されるように構成されている後面である、実施態様６２に記載の眼用レンズ。
（６４）  前記眼用レンズが、コンタクトレンズを含み、前記第１の面が、着用者の眼に近接して配置されるように構成されている後面であり、前記第２の面が、前面である、実施態様６２に記載の眼用レンズ。
（６５）  前記第１の面が、非球面、球面、又は回折面のうちの１つを含む、実施態様６２に記載の眼用レンズ。
【０１２４】
（６６）  前記眼用レンズが、−９Ｄ〜＋６Ｄの球面度数を有する、実施態様６２に記載の眼用レンズ。
（６７）  前記眼用レンズが、−０．７５Ｄ〜−３．２５Ｄの円柱度数を有する、実施態様６２に記載の眼用レンズ。
（６８）  前記第１の経線が、球面経線であり、前記第２の経線が、円柱経線である、実施態様６２に記載の眼用レンズ。
（６９）  前記第１の標的球面収差が、ほぼゼロである、実施態様６２に記載の眼用レンズ。
（７０）  前記第１の標的球面収差が、ゼロである、実施態様６２に記載の眼用レンズ。
【０１２５】
（７１）  前記第１の標的球面収差が、前記標的の眼の１次非点収差レベルの逆数に基づいている、実施態様６２に記載の眼用レンズ。
（７２）  前記第１の標的球面収差が、前記標的の眼の１次非点収差レベルの逆数である、実施態様６２に記載の眼用レンズ。
（７３）  前記第２の経線に沿った前記第２の標的球面収差が、０．００１Ｄ／ｍｍ２未満である、実施態様６２に記載の眼用レンズ。
（７４）  前記眼用レンズが−３．２５Ｄの円柱屈折力を呈するように構成されているとき、前記第２の経線に沿った前記第２の標的球面収差が、０．０５Ｄ／ｍｍ２未満である、実施態様６２に記載の眼用レンズ。
（７５）  前記眼用レンズが−２．７５Ｄ〜−３．２５Ｄの円柱屈折力を呈するように構成されているとき、前記第２の経線に沿った前記第２の標的球面収差が、０．０４Ｄ／ｍｍ２未満である、実施態様６２に記載の眼用レンズ。
【０１２６】
（７６）  前記眼用レンズが−１．７５Ｄ〜−３．２５Ｄの円柱屈折力を呈するように構成されているとき、前記第２の経線に沿った前記第２の標的球面収差が、０．００２Ｄ／ｍｍ２未満である、実施態様６２に記載の眼用レンズ。
（７７）  前記眼用レンズが−０．７５Ｄ〜−３．２５Ｄの円柱屈折力を呈するように構成されているとき、前記第２の経線に沿った前記第２の標的球面収差が、０．００１Ｄ／ｍｍ２未満の前記第２の経線に沿った球面収差である、実施態様６２に記載の眼用レンズ。
（７８）  前記第２の経線に沿った前記第２の標的球面収差が、前記標的の眼の２次非点収差レベルの逆数に基づいている、実施態様６２に記載の眼用レンズ。
（７９）  前記第２の経線に沿った前記第２の標的球面収差が、前記標的の眼の２次非点収差レベルの逆数である、実施態様６２に記載の眼用レンズ。
【図１】
2019045859.tif 000005
【図２】
2019045859.tif 000006
【図３】
2019045859.tif 000007
【図４】
2019045859.tif 000008
【図５】
2019045859.tif 000009
【図６】
2019045859.tif 000010
【図７Ａ】
2019045859.tif 000011
【図７Ｂ】
2019045859.tif 000012
【図８】
2019045859.tif 000013
【図９Ａ】
2019045859.tif 000014
【図９Ｂ】
2019045859.tif 000015
【図１０Ａ】
2019045859.tif 000016
【図１０Ｂ】
2019045859.tif 000017
【図１１Ａ】
2019045859.tif 000018
【図１１Ｂ】
2019045859.tif 000019
【外国語明細書】
2019045859000001.pdf